(57)【特許請求の範囲】
【請求項１】
ドアと戸当りからなる建具であって、戸当りのドア側の面に凸部が間隔をおいて設けられたことにより、ドアが閉じた状態で、ドア周縁部略全長にスリットが設けられたことを特徴とする建具。
【請求項２】
上記凸部の突出寸法が５〜２０ｍｍであることを特徴とする請求項１記載の建具。
【請求項３】
上記凸部が戸当りに一体成形により設けられていることを特徴とする請求項１又は２記載の建具。
【請求項４】
上階、下階の各居室に屋外に連通して通気口と、上階、下階の各居室と吹抜けホールとの間に間仕切、及び請求項１〜３のいずれか１項記載の建具とが設けられ、ホールの外壁、或いは天井に屋外に連通して排気用の換気扇が設けられていることを特徴とする家屋換気装置。
【発明の詳細な説明】
【０００１】
【発明の属する技術分野】
本発明は、建具及び家屋換気装置に関する。
【０００２】
【従来の技術】
従来、家屋全体を通気、或いは換気する装置として、例えば、特開昭６３−１６５６３２号公報に、床下空間から小屋裏空間までを空気取入口を設けることにより連通させ、又、ホールと各居室間を連通させるための通気口を設けて、温度差による空気の上昇力や風圧によって、小屋裏を通して家屋全体の空気を排出し、通気換気を行う家屋の通気システムが記載されている。
【０００３】
【発明が解決しようとする課題】
しかしながら、上記特開昭６３−１６５６３２号公報記載の家屋の通気システムにおいては、家屋内外の温度差や風速などに大きく影響されるため、安定して一定の換気量を確保することが困難であるといった問題がある。又、通常の居室用の建具には、引き戸、開き戸等種々のものが用いられ、隙間の大きさによって通気の際の空気抵抗に差がでるため、各居室の換気が均等に行われないといった問題がある。更に、下階には引き戸、両開き戸等の隙間が大きい建具が、上階にはパネルドア等の隙間の少ない建具が使用されることと、冬期の暖房時に居室内と外気との温度差が大きい場合、空気の上昇気流により、下階のみ換気量が多くなり、上階の居室の換気が殆ど行われないといった問題もある。
【０００４】
本発明は、このような上記の問題点に着目してなされたものであり、その目的とするところは、これらの問題点を解消し、四季を通じて気候条件に対応しながら、上階と下階の各居室の換気がバランスよく行える建具及び家屋換気装置を提供するものである。
【０００５】
【課題を解決するための手段】
請求項１記載の本発明の建具は、ドアと戸当りからなる建具であって、戸当りのドア側の面に凸部が間隔をおいて設けられたことにより、ドアが閉じた状態で、ドア周縁部略全長にスリットが設けられたことを特徴とする。又、請求項２記載の本発明の建具は、請求項１記載の建具において、凸部の突出寸法が５〜２０ｍｍであることを特徴とする。
又、請求項３記載の本発明の建具は、請求項１又は２記載の建具において、凸部が戸当りに一体成形により設けられていることを特徴とする。
更に、請求項４記載の本発明の家屋換気装置は、上階、下階の各居室に屋外に連通して通気口と、上階、下階の各居室と吹抜けホールとの間に間仕切、及び請求項１〜３のうちいずれか１項記載の建具とが設けられ、ホールの外壁、或いは天井に屋外に連通して排気用の換気扇が設けられていることを特徴とする。
【０００６】
上記ドアの戸当り部に設けられる凸部の材質は、木材、プラスチック材、更にはゴム材が好適に用いられる。又、この凸部はドアの戸当りの上、下両端４か所に設けてもよく、把手が設けられる側の上下２か所に設けても十分である。この凸部の戸当りへの取付けは、接着剤やネジ止めにより行うことができ、凸部のドア表面よりの出っ張り寸法は、５〜２０ｍｍ程度が好適である。
【０００７】
【作用】
請求項１記載の本発明の建具においては、戸当りのドア側の面に凸部が間隔をおいて設けられたことにより、ドアが閉じた状態で、ドア周縁部略全長にスリットが設けられるので、隙間が十分に確保されて、居室の換気が十分に行え、更に、ドアを半開きにする必要がないので、プライバシイの確保ができる利点がある。
請求項２記載の本発明の建具においては、請求項１記載の建具において、凸部の突出寸法が５〜２０ｍｍであることにより、居室の換気がより十分に行え、更に、ドアを半開きにする必要がないので、プライバシイの確保ができる利点がある。
請求項３記載の本発明の建具においては、請求項１又は２記載の建具の作用を奏するとともに、凸部が戸当りに一体成形により設けられているので、凸部を接着剤やネジ止めで取り付ける手間が省ける。
【０００８】
又、請求項４記載の本発明の家屋換気装置においては、上階、下階の各居室に屋外に連通して通気口と、上階、下階の各居室と吹抜けホールとの間に間仕切、及び請求項１〜３のうちいずれか１項記載の建具とが設けられ、ホールの外壁、或いは天井に屋外に連通して排気用の換気扇が設けられているので、各居室の通気口より給気された室外の空気が建具のスリットを通ってホールに至り、換気扇によって屋外に排出され、各居室の換気が十分に行える。更に、ドアを半開きにする必要がないので、プライバシイの確保ができる利点がある。
又、請求項４記載の本発明の家屋換気装置においては、上階、下階の各居室に屋外に連通して通気口と、上階、下階の各居室と吹抜けホールとの間に間仕切、及び請求項１〜３のうちいずれか１項記載の建具とが設けられ、ホールの外壁、或いは天井に屋外に連通して排気用の換気扇が設けられているので、建具の隙間が十分に確保されて、各居室の通気が行え、特に冬期の暖房時に居室内と外気との温度差が大きい場合においても、各居室の換気のバランスよく、且つ十分に行える。更に、ドアを半開きにする必要がないので、プライバシイの確保ができる利点がある。
【０００９】
【実施例】
以下、本発明の実施例を図面を参照して説明する。図１は、請求項１記載の本発明の家屋換気装置の一例を示すシステム図である。図１は、家屋の断面を示すものであり、この家屋は下階に居室１１、１２と上階に居室２１、２２が設けられ、更に、両側のこれらの居室１１、１２と居室２１、２２との間に上階、下階吹き抜けのホール３１が設けられている。又、このホール３１の天井には換気扇３２が小屋裏３３に連通して設けられている。この小屋裏３３には排気孔３３ａ、３３ｂが設けられている。
【００１０】
上記各居室１１、１２、２１、２２とホール３１との間には、間仕切り１１ａ、１２ａ、２１ａ、２２ａと建具４１、４２、４３、４４がそれぞれに設けられ、又、各居室１１、１２、２１、２２の屋外に面する外壁には、それぞれに通気口１１ｂ、１２ｂ、２１
ｂ、２２ｂがそれぞれに設けられている。
【００１１】
〔実施例の作用〕
従って、ホール３１の換気扇３２が運転されると、これに伴い図１に示す矢印のように、空気の流通が通気口→居室→建具の隙間→ホール→換気扇→小屋裏→排気口→屋外の順に形成されて、換気が行われる。
【００１２】
上記ホール３１の天井に設けられた換気扇３２は、これに代えてホール３１の外壁に設けられても屋外への排気が直接行え、同様の換気効果が得られる。
【００１３】
又、上階の建具４３、４４−例えばドアには以下に説明する凸部が設けられ、ドアと戸当りとの間に十分な隙間が確保され、空気の流通がより効果的に行えるようになっている。
【００１４】
図２は、請求項２記載の本発明の家屋換気装置に設けられるドアの戸当りの一例を示す断面図であり、図３は、図２の横断面図である。図２、及び図３において、ドア１の裏側には、ドア１幅に亙って、上、下に戸当り２、２が設けられ、この上下の戸当り２にそれぞれ凸部３、・・が設けられた例を示すものであり、この場合は、上下の戸当り２にそれぞれ３か所づつ設けられている。従って、図示のようにスリットＳによる隙間が確保され、空気の流通を十分に行うことが可能となる。
【００１５】
図４は、ドアの戸当りの他の例を示す断面図である。図４において、凸部３ａ、３ａは戸当り２ａの四隅に設けられた例を示すものであり、この場合には、ドア１ａの凸部３ａ、３ａが当接する部分が切り欠かかれた切欠き１ｂが設けられている。ドア１ａにこの切欠き１ｂを設けることにより、ドア１ａに取付けられる蝶番の前後方向の位置を調整することなく、従来のままで支障がでない利点がある。又、このドア１ａに用いられるドアパネルの厚さも調整でき、複雑な形状のものにも対応が可能となる。
【００１６】
図５は、ドアの戸当りの更に他の例を示す斜視図であり、木製、或いはプラスチック製の戸当り本体２ｂの四隅にゴム、或いはプラスチック製の成形加工により作られた凸部３ｂが貼着された戸当りの例である。又、図６は、当接凸部３ｃが戸当り本体２ｃと一体に成形加工された、ＭＤＦや合板製の戸当りの例を示したものである。
【００１７】
【発明の効果】
請求項１記載の本発明の建具においては、戸当りのドア側の面に凸部が間隔をおいて設けられたことにより、ドアが閉じた状態で、ドア周縁部略全長にスリットが設けられるので、隙間が十分に確保されて、居室の換気が十分に行え、更に、ドアを半開きにする必要がないので、プライバシイの確保ができる利点がある。
請求項２記載の本発明の建具においては、請求項１記載の建具において、凸部の突出寸法が５〜２０ｍｍであることにより、居室の換気がより十分に行え、更に、ドアを半開きにする必要がないので、プライバシイの確保ができる利点がある。
請求項３記載の本発明の建具においては、請求項１又は２記載の建具の作用を奏するとともに、凸部が戸当りに一体成形により設けられているので、凸部を接着剤やネジ止めで取り付ける手間が省ける。
【００１８】
又、請求項４記載の本発明の家屋換気装置においては、上階、下階の各居室に屋外に連通して通気口と、上階、下階の各居室と吹抜けホールとの間に間仕切、及び請求項１〜３のうちいずれか１項記載の建具とが設けられ、ホールの外壁、或いは天井に屋外に連通して排気用の換気扇が設けられているので、建具の隙間が十分に確保されて、各居室の通気が行え、特に冬期の暖房時に居室内と外気との温度差が大きい場合においても、各居室の換気のバランスよく、且つ十分に行える。更に、ドアを半開きにする必要がないので、プライバシイの確保ができる利点がある。従って、家屋換気装置として好適に用いられる。
【図面の簡単な説明】
【図１】本発明の家屋換気装置の一例を示すシステム図。
【図２】請求項２記載の本発明の家屋換気装置に設けられるドアの戸当りの一例を示す断面図。
【図３】図２の横断面図。
【図４】ドアの戸当りの他の例を示す断面図。
【図５】ドアの戸当りの更に他の例を示す断面図。
【図６】ドアの戸当りの更に他の例を示す断面図。
【符号の説明】
１１、１２、２１、２２                居室
１１ａ、１２ａ、２１ａ、２２ａ        間仕切り
１１ｂ、１２ｂ、２１ｂ、２２ｂ        通気口
３１                                  ホール
３２                                  換気扇
３３                                  小屋裏
４１、４２、４３、４４                建具
１、１ａ                              ドア
１ｂ                                  切欠き
２ｂ、２ｃ                            戸当り本体
３、３ａ、３ｂ、３ｃ                  凸部
【図１】
0003574489.tif 000002
【図２】
0003574489.tif 000003
【図３】
0003574489.tif 000004
【図４】
0003574489.tif 000005
【図５】
0003574489.tif 000006
【図６】
0003574489.tif 000007